(57)【要約】【課題】  ＲＤＳ受信機等における代替局検査機能や受信局自動切換機能などの動作時において、従来、ミューティング処理が行われていた間の音切れ感をなくして、聴取者の違和感を解消し、受信放送を快適に楽しむことのできる受信機を提供すること。【解決手段】  受信放送波から取り出された音声信号を出力するＲＤＳ受信機１において、音声信号に基づいて補正音声データを作成する補正音声作成手段４ｂと、補正音声作成手段４ｂにより作成された補正音声データの出力に切り換える補正音声出力切換手段４ｃと、補正音声作成手段４ｂによる補正音声データの作成、及び補正音声出力切換手段４ｃによる補正音声データの出力切換の制御を行う補正音声制御手段６とを装備する。【選択図】  図１
2005269547.tif 000002
【特許請求の範囲】
【請求項１】
受信放送波から取り出された音声信号を出力する受信機において、                  
前記音声信号に基づいて補正音声データを作成する補正音声作成手段と、
該補正音声作成手段により作成された補正音声データの出力に切り換える補正音声出力
切換手段と、                                                                    
前記補正音声作成手段による補正音声データの作成、及び前記補正音声出力切換手段に
よる前記補正音声データの出力切換の制御を行う補正音声制御手段とを備えていることを
特徴とする受信機。
【請求項２】
前記補正音声作成手段と前記補正音声出力切換手段とが、音声信号の演算処理を行うデ
ィジタル信号処理手段により実現されているものであることを特徴とする請求項１記載の
受信機。
【請求項３】
受信放送波の受信レベルを検出する受信レベル検出手段と、
受信放送局と同一のネットワークを構成する局（以下、代替局とも記す）の受信レベル
を所定時間毎に検査する代替局検査手段とを備え、
前記補正音声制御手段が、前記代替局検査手段による前記代替局の受信レベルの検査前
に、前記補正音声データを作成するように前記補正音声作成手段を制御するとともに、
少なくとも前記代替局検査手段により前記代替局の受信レベルの検査が実行される間、
前記補正音声データを出力するように前記補正音声出力切換手段を制御するものであるこ
とを特徴とする請求項１又は請求項２記載の受信機。
【請求項４】
受信放送波の受信レベルを検出する受信レベル検出手段と、
該受信レベル検出手段により受信放送波の受信レベルの低下が検出された場合に、受信
レベルが良好な他局の放送波の周波数に自動的に切り換える受信局自動切換手段とを備え
、
前記補正音声制御手段が、前記受信レベル検出手段により受信放送波の受信レベルの低
下が検出された場合に、前記補正音声データを作成するように前記補正音声作成手段を制
御するとともに、
少なくとも前記受信局自動切換手段により受信レベルが良好な他局の放送波の周波数へ
の切換が実行される間、前記補正音声データを出力するように前記補正音声出力切換手段
を制御するものであることを特徴とする請求項１又は請求項２記載の受信機。
【請求項５】
前記他局が、受信放送局と同一のネットワークを構成する局（代替局）であることを特
徴とする請求項４記載の受信機。
【請求項６】
前記他局が、特定区間の交通情報などを放送する情報放送局であることを特徴とする請
求項４記載の受信機。
【請求項７】
受信中の放送波の受信レベルを検出する受信レベル検出手段と、
該受信レベル検出手段により受信可能な放送波の受信レベルを検出し、該受信レベルが
良好な順にプリセット局の周波数を設定するプリセット局設定手段とを備え、
前記補正音声制御手段が、前記プリセット局設定手段による受信可能な放送波の受信レ
ベルの検出前に、前記補正音声データを作成するように前記補正音声作成手段を制御する
とともに、
少なくとも前記プリセット局設定手段による前記受信可能な放送波の受信レベルの検出
が実行される間、前記補正音声データを出力するように前記補正音声出力切換手段を制御
するものであることを特徴とする請求項１又は請求項２記載の受信機。
【請求項８】
プリセットキーに対応して設定された放送波の周波数を選局するプリセット選局手段を
備え、
前記補正音声制御手段が、前記プリセットキーの操作が検出された場合に、前記補正音
声データを作成するように前記補正音声作成手段を制御するとともに、
少なくとも前記プリセット選局手段により選択されたプリセット放送波の選局が実行さ
れる間、前記補正音声データを出力するように前記補正音声出力切換手段を制御するもの
であることを特徴とする請求項１又は請求項２記載の受信機。
【請求項９】
前記受信機が、同一内容の放送が行われている局を識別するための情報を含む放送関連
情報が多重されたラジオ放送波を受信するものであることを特徴とする請求項１〜８のい
ずれかの項に記載の受信機。
【請求項１０】
前記受信機が、同一内容の放送が行われている局を識別するための情報を含む放送関連
情報が多重されたテレビジョン放送波を受信するものであることを特徴とする請求項１〜
８のいずれかの項に記載の受信機。                                                
【請求項１１】
請求項１又は請求項２記載の受信機と、記録媒体に記録された信号を再生する信号再生
手段と、前記受信機や前記信号再生手段の機能に切り換える機能切換手段とを備えた音響
機器であって、
前記補正音声制御手段が、前記機能切換手段により前記受信機から前記信号再生手段へ
の機能切換が行われた場合に、前記補正音声データを作成するように前記補正音声作成手
段を制御するとともに、
少なくとも前記機能切換手段により切り換えられた前記信号再生手段による信号の再生
が開始されるまでの間、前記補正音声データを出力するように前記補正音声出力切換手段
を制御するものであることを特徴とする音響機器。
【発明の詳細な説明】
【技術分野】
【０００１】
本発明は受信機及び音響機器に関し、より詳細には複数の放送周波数の中から目的の放
送波を選局し、該放送波から取り出された音声信号を出力する受信機、及び該受信機を含
んで構成される音響機器に関する。
【背景技術】
【０００２】
放送波に放送関連情報を主とするデータを多重伝送するシステムとして、欧州において
実用化されているＲＤＳ（Radio Data System)や米国におけるＲＢＤＳ(Radio Broadcast
ing Data System)などが知られている。                                            
【０００３】
図１６は従来のＲＤＳ受信機の要部を概略的に示したブロック図である。ＲＤＳ受信機
５０は、ＲＦ（radio frequency ：ラジオ周波数）チューナ部１１、ＩＦ（intermediate
frequency：中間周波数）増幅・検波部１２、復調回路１３、ミューティング回路１４、
Ｓレベル検出部１５、フィルタ１６、ＲＤＳモジュレータ１７、制御部１８、メモリ１９
、操作部２０、及び表示部２１を含んで構成されている。
【０００４】
アンテナ１１ａで受信されたＦＭ多重放送波の中からＲＦチューナ部１１により目的の
放送周波数が選局（同調）され、中間周波数（ＩＦ）信号に変換された後、ＩＦ増幅・検
波部１２に供給される。ＲＦチューナ部１１は、例えば、プログラマブル分周器を含むＰ
ＬＬ回路（図示せず）を用いたＰＬＬシンセサイザー方式を採り、プログラマブル分周器
の分周比が制御部１８によって制御されることにより選局動作が行われるようになってい
る。
【０００５】
ＩＦ増幅・検波部１２からの検波出力は復調回路１３に供給され、ステレオ放送の場合
には左（Ｌ）右（Ｒ）チャンネルの音声信号に分離され、ミューティング回路１４を経て
音声として出力される。ミューティング回路１４は制御部１８によりオン・オフ制御が行
われるようになっている。
【０００６】
Ｓレベル検出部１５では、ＩＦ増幅・検波部１２におけるＩＦ信号レベルに基づいて受
信レベル（すなわち、電界強度）が検出され、検出された受信レベルが制御部１８に供給
されるようになっている。また、ＩＦ増幅・検波部１２の検波出力がフィルタ（５７ｋＨ
ｚのＢＰＦ）１６を通過することによりＲＤＳ信号が抽出され、ＲＤＳモジュレータ１７
に供給される。ＲＤＳモジュレータ１７では、５７ｋＨｚＲＤＳ信号の復調、ＰＳＫ複合
、ディファレンシャルデコード処理などが行われ、ＲＤＳデータが復元され、制御部１８
に供給される。制御部１８では、復元されたＲＤＳデータ（２６ビット構成の４ブロック
からなる１０４ビットのグループ単位で構成されている）に対し、ブロック及びグループ
構成への同期をとり、誤りデータの検出および訂正を行うことにより正確なＲＤＳデータ
が読み取れるようになっており、読み取られたＲＤＳデータは、メモリ１９に記憶される
ようになっている。
【０００７】
ＲＤＳデータは、４ブロックから構成されており、第１ブロックには、各放送ネットワ
ークに固有のコードで、国別コード、エリアコードなどを含むプログラム識別コード（Ｐ
Ｉコード）が規定されている。第２ブロックには、グループタイプコード、交通情報局識
別コード（ＴＰコード）、番組内容識別コード（ＰＴＹコード）が規定されている。また
、第３ブロックには、同一の番組を放送しているネットワーク局の周波数リストを示すデ
ータ（ＡＦデータ）が、第４のブロックには、放送局名データ（ＰＳデータ）が規定され
ている。また、ＡＦデータはＰＩコード毎に分類されてＡＦリストとしてメモリ１９に記
憶されるようになっている。
【０００８】
表示部２１は、液晶ディスプレイなどを含んで構成されており、制御部１８からの表示
指示を受けて受信周波数や受信局のプログラム名等の放送局に関連した文字情報などが表
示されるようになっている。
【０００９】
操作部２０は、選局などの各種操作を行うための操作スイッチなどから構成されており
、該操作スイッチからの入力信号を取り込んで、該入力信号に応じた処理が制御部１８で
行われるようになっており、ユーザーは操作スイッチを操作することによりＲＤＳ受信機
５０に所望の動作を行わせることができるようになっている。
【００１０】
制御部１８は、マイクロコンピュータから構成されており、ＲＤＳ受信機５０の各部の
制御、すなわち、ＲＦチューナ部１１の同調制御、ミューティング回路１４のミューティ
ング制御、ＲＤＳデータに基づく各種機能の制御などが行われるようになっている。
【００１１】
上記ＲＤＳデータに基づく各種の機能には、受信中の放送局と同一番組を放送している
ネットワーク局（代替局）の受信レベルを所定時間毎に検査する代替局検査機能や、受信
中の放送局の受信レベルが低下した場合に、同一番組を放送しているネットワーク局（代
替局）の周波数に自動的に切り換える受信局自動切換機能（ネットワークフォロー機能と
も言う）が含まれている。したがって、ＲＤＳ受信機５０を車載用に適用した場合、車両
の走行に伴って受信中の放送波の受信レベルが低下した場合でも、同一番組を放送してい
るネットワーク局を自動的に選局して常に良好な受信状態で同一番組を聴取することがで
きるようになっている。
【００１２】
図１７は、従来のＲＤＳ受信機５０における制御部１８の行う代替局検査処理動作を示
したフローチャートである。なお本処理動作は、ＲＤＳ放送の受信時において所定時間毎
（例えば数秒から数十秒毎）に実行される。
【００１３】
まずステップＳ６１では、所定時間が経過したか否かを判断し、所定時間が経過してい
ないと判断すればステップＳ６１に戻る一方、所定時間が経過したと判断すればステップ
Ｓ６２に進む。
【００１４】
ステップＳ６２では、ミューティング回路１４をオン、すなわちミューティングをかけ
て音声を消す処理を行い、その後ステップＳ６３に進む。ステップＳ６３では、代替局の
検査処理、すなわち、メモリ１９に記憶されているＡＦリストに基づいて代替局（１局）
への同調制御を行い、該代替局の受信レベル（電界強度）を検出し、前記ＡＦリストを更
新する処理を行い、その後ステップＳ６４に進む。ステップＳ６４では、元の受信局への
同調制御を行い、その後ステップＳ６５に進む。ステップＳ６５では、ミューティング回
路１４をオフし、すなわちミューティングを解除して、元の受信局の受信音声を出力する
処理を行い、その後ステップＳ６１に戻る。
【００１５】
図１８は、従来のＲＤＳ受信機５０における制御部１８の行うネットワークフォロー処
理動作を示したフローチャートである。なお本処理動作は、ＲＤＳ放送の受信時に受信レ
ベルが低下した場合に実行される。  
【００１６】
まずステップＳ７１では、受信局の受信レベル（電界強度）が閾値より低下したか否か
を判断し、受信レベルが閾値より低下していないと判断すればステップＳ７１に戻る一方
、受信レベルが閾値より低下したと判断すればステップＳ７２に進む。
【００１７】
ステップＳ７２では、ミューティング回路１４をオン、すなわちミューティングをかけ
て音声を消す処理を行い、その後ステップＳ７３に進む。ステップＳ７３では、メモリ１
９に記憶されているＡＦリストに基づいて代替局への同調制御を行い、その後ステップＳ
７４に進む。ステップＳ７４では、同調された代替局の受信レベルが閾値以上であるか否
かを判断し、受信レベルが閾値以上ではないと判断すればステップＳ７３に戻り、次の代
替局への同調制御を繰り返す一方、受信レベルが閾値以上であると判断すればステップＳ
７５に進む。ステップＳ７５では、ミューティング回路１４をオフ、すなわちミューティ
ングを解除して、代替局を新たな受信局として受信音声を出力する処理を行い、その後処
理を終了する。
【００１８】
上記代替局検査機能においては、代替局検査が実行される上記ステップＳ６２〜Ｓ６５
までの間、ミューティング処理が行われる。この間は通常１０ｍｓｅｃ程度の短時間であ
り、消音の間隔が長ければ（通常数秒以上であれば）、通常の放送内容ではほとんど音質
の劣化とならないと言われているが、放送内容によっては、定期的なミューティングによ
る音切れ感（ボツ音）が気になることもあり、定期的なミューティングによる違和感を聴
取者に与えてしまうという課題があった。
【００１９】
また、上記ネットワークフォロー機能においても、受信レベルが閾値以上の代替局を同
調する上記ステップＳ７２〜Ｓ７５までの間、ミューティング処理が行われる。この間は
、最大で２５０ｍｓｅｃ程度であり、代替局検査時よりも長く、明らかに音切れ感（ボツ
音）が感じられる。そのため、受信局の自動切換時においてもミューティングによる違和
感を聴取者に与えてしまうという課題があった。
【００２０】
また、下記の特許文献１には、受信局自動切換機能の動作開始に先だってミュート状態
となるときの聴取者に対する違和感を軽減させるために、受信信号の受信状態の悪化が検
出された後、受信信号を検波した検波信号のレベルが閾値以下である状態が所定時間以上
継続したときに受信局自動切換機能の動作開始に先だってミューティング処理を行う受信
機が開示されている。
【００２１】
特許文献１記載の受信機では、受信状態が悪化しても、オーディオ出力音が小さい状態
が継続してからミューティング処理を行うことで、急にオーディオ出力がカットされるこ
とが防止され、聴取者の違和感を軽減させることはできるものの、ミューティング処理の
タイミングをずらすだけであって、ミューティング処理による音切れ感の根本的な解決に
は至っていないという課題があった。
【特許文献１】特開平７−３３６２５４号公報
【発明の開示】
【課題を解決するための手段及びその効果】
【００２２】
本発明は上記課題に鑑みなされたものであって、例えば、ＲＤＳ受信機等における代替
局検査機能や受信局自動切換機能などの動作時において、従来、ミューティング処理が行
われていた間の音切れ感をなくして、聴取者の違和感を解消し、受信放送を快適に楽しむ
ことのできる受信機を提供することを目的としている。
【００２３】
上記目的を達成するために本発明に係る受信機（１）は、受信放送波から取り出された
音声信号を出力する受信機において、前記音声信号に基づいて補正音声データを作成する
補正音声作成手段と、該補正音声作成手段により作成された補正音声データの出力に切り
換える補正音声出力切換手段と、前記補正音声作成手段による補正音声データの作成、及
び前記補正音声出力切換手段による前記補正音声データの出力切換の制御を行う補正音声
制御手段とを備えていることを特徴としている。
【００２４】
上記受信機（１）によれば、前記補正音声制御手段により、前記補正音声作成手段によ
る補正音声データの作成、及び前記補正音声出力切換手段による前記補正音声データの出
力切換の制御が行われるので、必要なタイミングで前記受信音声に基づく補正音声データ
を作成し、作成された該補正音声データを出力することが可能となる。したがって、従来
、ミューティング処理が行われていた間に前記補正音声データを出力することにより、音
切れをなくすことができ、聴取者の違和感を解消することができ、受信放送を一層快適に
楽しむことができる。
【００２５】
また本発明に係る受信機（２）は、上記受信機（１）において、前記補正音声作成手段
と前記補正音声出力切換手段とが、音声信号の演算処理を行うディジタル信号処理手段に
より実現されているものであることを特徴としている。
【００２６】
上記受信機（２）によれば、前記ディジタル信号処理手段の演算処理機能を用いて、前
記補正音声作成手段と前記補正音声出力切換手段との機能を実現することができる。した
がって、前記ディジタル信号処理手段が装備される受信機であれば、制御のためのソフト
ウェアを対応させることにより、上記機能を低コストで実現することができる。
【００２７】
また本発明に係る受信機（３）は、上記受信機（１）又は（２）において、受信放送波
の受信レベルを検出する受信レベル検出手段と、受信放送局と同一のネットワークを構成
する局（代替局）の受信レベルを所定時間毎に検査する代替局検査手段とを備え、前記補
正音声制御手段が、前記代替局検査手段による前記代替局の受信レベルの検査前に、前記
補正音声データを作成するように前記補正音声作成手段を制御するとともに、少なくとも
前記代替局検査手段により前記代替局の受信レベルの検査が実行される間、前記補正音声
データを出力するように前記補正音声出力切換手段を制御するものであることを特徴とし
ている。
【００２８】
上記受信機（３）によれば、前記代替局検査手段による前記代替局の受信レベルの検査
前に、前記補正音声データが作成されるとともに、少なくとも前記代替局検査手段により
前記代替局の受信レベルの検査が実行される間、前記補正音声データが出力されるので、
前記代替局の受信レベルの検出が実行される間も前記補正音声データに基づく音声を出力
することができ、従来のミューティング処理により生じていた音切れを完全になくすこと
ができ、前記代替局の受信レベルの検査を聴取者に違和感を与えることなく常時実行する
ことが可能となる。
【００２９】
また本発明に係る受信機（４）は、上記受信機（１）又は（２）において、受信放送波
の受信レベルを検出する受信レベル検出手段と、該受信レベル検出手段により受信放送波
の受信レベルの低下が検出された場合に、受信レベルが良好な他局の放送波の周波数に自
動的に切り換える受信局自動切換手段とを備え、前記補正音声制御手段が、前記受信レベ
ル検出手段により受信放送波の受信レベルの低下が検出された場合に、前記補正音声デー
タを作成するように前記補正音声作成手段を制御するとともに、少なくとも前記受信局自
動切換手段により受信レベルが良好な他局の放送波の周波数への切換が実行される間、前
記補正音声データを出力するように前記補正音声出力切換手段を制御するものであること
を特徴としている。
【００３０】
上記受信機（４）によれば、前記受信レベル検出手段により受信放送波の受信レベルの
低下が検出された場合に、前記補正音声データが作成されるとともに、少なくとも前記受
信局自動切換手段により受信レベルが良好な他局の放送波の周波数への切換処理が実行さ
れる間、前記補正音声データが出力されるので、前記他局の放送波の周波数への切換処理
が実行される間も前記補正音声データに基づく音声を出力することができ、従来のミュー
ティング処理により生じていた音切れを完全になくすことができ、聴取者に気付かれるこ
となく、前記他局の放送波の周波数への自動切換を実行することが可能となる。
【００３１】
また本発明に係る受信機（５）は、上記受信機（４）において、前記他局が、受信放送
局と同一のネットワークを構成する局（代替局）であることを特徴としている。
上記受信機（５）によれば、前記代替局の放送波の周波数への切換処理が実行される間
も前記補正音声データに基づく音声を出力することができ、従来、代替局への切換時にお
けるミューティング処理により生じていた音切れを完全になくすことができ、聴取者に気
付かれることなく、前記代替局の放送波の周波数への自動切換を実行することが可能とな
る。
【００３２】
また本発明に係る受信機（６）は、上記受信機（４）において、前記他局が、特定区間
の交通情報などを放送する情報放送局であることを特徴としている。
上記受信機（６）によれば、例えばトンネル内など特定区間の交通情報などを放送する
情報放送局の放送波の周波数への切換処理が実行される間も前記補正音声データに基づく
音声を出力することができ、従来の前記情報放送局への切換時におけるミューティング処
理により生じていた音切れをなくすことができ、聴取者に違和感を与えることなく、スム
ーズに前記情報放送局の放送波の周波数への自動切換を実行することが可能となる。
【００３３】
また本発明に係る受信機（７）は、上記受信機（１）又は（２）において、受信中の放
送波の受信レベルを検出する受信レベル検出手段と、該受信レベル検出手段により受信可
能な放送波の受信レベルを検出し、該受信レベルが良好な順にプリセット局の周波数を設
定するプリセット局設定手段とを備え、前記補正音声制御手段が、前記プリセット局設定
手段による受信可能な放送波の受信レベルの検出前に、前記補正音声データを作成するよ
うに前記補正音声作成手段を制御するとともに、少なくとも前記プリセット局設定手段に
よる前記受信可能な放送波の受信レベルの検出が実行される間、前記補正音声データを出
力するように前記補正音声出力切換手段を制御するものであることを特徴としている。
【００３４】
上記受信機（７）によれば、前記プリセット局設定手段による受信可能な放送波の受信
レベルの検出前に、前記補正音声データが作成されるとともに、前記少なくとも前記プリ
セット局設定手段による前記受信可能な放送波の受信レベルの検出処理が実行される間、
前記補正音声データが出力されるので、前記受信可能な放送波の受信レベルの検出処理が
実行される間も前記補正音声データに基づく音声を出力することができ、プリセット局の
自動設定時における音切れをなくすことができ、聴取者に違和感を与えることなく、前記
プリセット局の自動設定処理を実行することが可能となる。
【００３５】
また本発明に係る受信機（８）は、上記受信機（１）又は（２）において、プリセット
キーに対応して設定された放送波の周波数を選局するプリセット選局手段を備え、前記補
正音声制御手段が、前記プリセットキーの操作が検出された場合に、前記補正音声データ
を作成するように前記補正音声作成手段を制御するとともに、少なくとも前記プリセット
選局手段により選択されたプリセット放送波の選局が実行される間、前記補正音声データ
を出力するように前記補正音声出力切換手段を制御するものであることを特徴としている
。
【００３６】
上記受信機（８）によれば、前記プリセットキーの操作が検出された場合に、前記補正
音声データが作成されるとともに、少なくとも前記プリセット選局手段によりプリセット
放送波の選局が実行される間、前記補正音声データが出力されるので、前記プリセット放
送波の選局が実行される間も前記補正音声データに基づく音声を出力することができ、プ
リセット放送波の選局時に生じていた音切れ（ボツ音）をなくして、スムーズにプリセッ
ト放送波の受信に移行することが可能となる。
【００３７】
また本発明に係る受信機（９）は、上記受信機（１）〜（８）のいずれかにおいて、前
記受信機が、同一内容の放送が行われている局を識別するための情報を含む放送関連情報
が多重されたラジオ放送波を受信するものであることを特徴としている。
【００３８】
上記受信機（９）によれば、同一番組の放送が行われている局を識別するための情報を
含む放送関連情報が多重されたラジオ放送波を受信する受信機、例えば、ＲＤＳ受信機、
、ＲＢＤＳ受信機、ディジタルラジオ受信機などにおいて、上記受信機（１）〜（８）の
機能を実現することができ、ラジオ放送局の選局や各種設定時に上記同様の効果を得るこ
とが可能となる。
【００３９】
また本発明に係る受信機（１０）は、上記受信機（１）〜（８）のいずれかにおいて、
前記受信機が、同一内容の放送が行われている局を識別するための情報を含む放送関連情
報が多重されたテレビジョン放送波を受信するものであることを特徴としている。
【００４０】
上記受信機（１０）によれば、同一番組の放送が行われている局を識別するための情報
などの放送関連情報が多重されたテレビジョン放送波を受信する受信機、例えば、ディジ
タル放送受信機などにおいて、上記受信機（１）〜（８）の機能を実現することができ、
テレビジョン放送チャンネルの選局や各種設定時に上記同様の効果を得ることが可能とな
る。
【００４１】
また本発明に係る音響機器（１）は、上記受信機（１）又は（２）と、記録媒体に記録
された信号を再生する信号再生手段と、前記受信機や前記信号再生手段の機能に切り換え
る機能切換手段とを備えた音響機器であって、前記補正音声制御手段が、前記機能切換手
段により前記受信機から前記信号再生手段への機能切換が行なわれた場合に、前記補正音
声データを作成するように前記補正音声作成手段を制御するとともに、少なくとも前記機
能切換手段により切り換えられた前記信号再生手段による信号の再生が開始されるまでの
間、前記補正音声データを出力するように前記補正音声出力切換手段を制御するものであ
ることを特徴としている。
【００４２】
上記音響機器（１）によれば、前記機能切換手段により前記受信機から前記信号再生手
段への機能切換が行われた場合に、前記補正音声データが作成されるとともに、少なくと
も前記機能切換手段により切り換えられた前記信号再生手段による信号の再生が開始され
るまでの間、前記補正音声データが出力されるので、前記受信機から前記信号再生手段に
切り換えて該信号再生手段による信号の再生処理が開始されるまでの間も前記補正音声デ
ータに基づく音声を出力することができ、前記受信機から前記信号再生手段への切換時に
生じていた音切れをなくして、スムーズに前記信号再生手段による前記記録媒体の再生処
理に移行することが可能となる。
【発明を実施するための最良の形態】
【００４３】
以下、本発明に係る受信機及び音響機器の実施の形態を図面に基づいて説明する。図１
は、実施の形態（１）に係るＲＤＳ受信機の要部を概略的に示したブロック図である。但
し、ここでは図１６に示した従来のＲＤＳ受信機５０と同一機能を有する構成部品につい
ては、同一符号を付して、その説明を省略する。
【００４４】
ＲＤＳ受信機１は、ＲＦチューナ部１１、ＩＦ増幅・検波部１２、アナログディジタル
（Ａ／Ｄ）変換部３、ディジタル信号処理部４、ディジタルアナログ（Ｄ／Ａ）変換部５
、Ｓレベル検出部１５、フィルタ１６、ＲＤＳモジュレータ１７、制御部６、メモリ１９
、操作部２０、及び表示部２１を含んで構成されている。
【００４５】
アンテナ１１ａを介して受信されたＦＭ多重放送波は、ＲＦチューナ部１１で希望する
放送周波数が選局（同調）され、中間周波数（ＩＦ）信号に変換された後、ＩＦ増幅・検
波部１２に供給される。ＩＦ増幅・検波部１２からの検波出力は、Ａ／Ｄ変換部３に供給
され、ディジタル信号に変換された後、ディジタル信号処理部４へ入力され、音声信号に
関する各種の演算処理が実行される。ディジタル信号処理部４において演算処理された音
声データは、Ｄ／Ａ変換部５へ供給され、アナログ信号に変換された後、音声として出力
されるようになっている。
【００４６】
Ｓレベル検出部１５では、ＩＦ増幅・検波部１２におけるＩＦ信号レベルに基づいて受
信レベル（電界強度）が検出され、検出された受信レベルが制御部６に供給されるように
なっている。
【００４７】
また、ＩＦ増幅・検波部１２の検波出力がフィルタ（５７ｋＨｚのＢＰＦ）１６を通過
することによりＲＤＳ信号が抽出され、ＲＤＳモジュレータ１７に供給される。ＲＤＳモ
ジュレータ１７においてＲＤＳデータが復元され、復元されたＲＤＳデータは制御部６へ
供給される。制御部６では、復元されたＲＤＳデータに対し、ブロック及びグループ構成
への同期をとり、誤りデータの検出および訂正を行うことにより正確なＲＤＳデータを読
み取り、読み取ったＲＤＳデータをメモリ１９に記憶するようになっている。また、ＲＤ
Ｓデータ内のＡＦデータはＰＩコード毎に分類されてＡＦリストとしてメモリ１９に記憶
されるようになっている。
【００４８】
操作部２０は、受信放送波の周波数が設定可能な複数個のプリセットｃｈボタンや他の
操作ボタン（いずれも図示せず）を含んで構成されており、例えば、プリセットｃｈボタ
ンの１つが入力されると、制御部６では、入力されたプリセットｃｈボタンに対応して設
定されている周波数データをメモリ１９から読み出して、該周波数への同調制御が行われ
るようになっている。
【００４９】
制御部６は、マイクロコンピュータから構成されており、ＲＤＳ受信機１の各部の制御
を行う、すなわち、ＲＦチューナ部１１の同調制御、ディジタル信号処理部４の各種信号
処理の制御、ＲＤＳデータに基づく各種機能の制御が行われるようになっている。また、
制御部６では、所定操作が検出された場合に、プリセットｃｈボタンに設定されるプリセ
ット局の周波数を受信レベルが良好な順に並び替える、すなわち自動プリセット局設定機
能の制御も行うようになっている。
【００５０】
なお、上記ＲＤＳデータに基づいた各種の機能には、受信放送局と同一番組を放送して
いるネットワーク局（代替局）の受信レベルを所定時間毎に検査する代替局検査機能や、
受信中の放送波の受信レベルが低下した場合に、同一番組を放送しているネットワーク局
（代替局）の周波数に自動的に切り換える機能、すなわちネットワークフォロー機能など
が含まれている。
【００５１】
ディジタル信号処理部４は、音響特性等を調整するための種々の演算処理が実行される
、いわゆるＤＳＰ（Digital Signal Processor) から構成されており、音声取出手段４ａ
、補正音声作成手段４ｂ、補正音声出力切換手段４ｃ、及びデータ記憶部４ｄを含んで構
成されている。
【００５２】
音声取出手段４ａは、Ａ／Ｄ変換部３を介して入力されたディジタル化された音声信号
の演算処理を行い、演算処理されたデータをデータ記憶部４ｄに一時格納し、制御プログ
ラムに基づいた任意のタイミングでこれらデータを取り出してＤ／Ａ変換部５へ出力する
ものであり、音響特性が付与された音声信号をＤ／Ａ変換部５へ出力することができるよ
うになっている。
【００５３】
補正音声作成手段４ｂは、制御部６から指示される所定のタイミングで、該タイミング
の直前に入力された音声信号に基づく補正音声データ、すなわち前記音声信号の近似値を
ＤＳＰの演算処理機能により作成するものであり、作成された補正音声データはデータ記
憶部４ｄに一時格納され、制御プログラムに基づいた任意のタイミングでデータ記憶部４
ｄから読み出されるようになっている。
【００５４】
なお、制御部６から指示される上記所定のタイミングには、上記代替局検査機能による
代替局の受信レベルを検査する前のタイミング、Ｓレベル検出部１５により検出される受
信中の放送波の受信レベルが閾値より低下したタイミング、自動プリセット局設定機能を
動作させる所定操作が検出されたタイミング、プリセットｃｈボタンの操作が検出された
タイミングなどが含まれている。
【００５５】
補正音声出力切換手段４ｃは、制御部６からの制御信号に基づいて、音声取出手段４ａ
により取り出された受信音声の出力と、補正音声作成手段４ｂにより作成された補正音声
データの出力とを切り換えるものであり、制御部６では、補正音声作成手段４ｂによる補
正音声データの作成、及び補正音声出力切換手段４ｃによる補正音声データの出力切換の
制御が行われるようになっている。
【００５６】
図２は、実施の形態（１）に係るＲＤＳ受信機１の行う代替局検査動作を説明するため
のタイミングチャートである。（ａ）は、ＲＦチューナ部１１での同調タイミング、（ｂ
）は、補正音声作成手段４ｂの動作タイミング、（ｃ）は、補正音声出力切換手段４ｃの
動作タイミング、（ｄ）は、出力音声の状態を示している。
【００５７】
なお、受信中の放送局（例えば、Ａ局）と同一番組を放送しているネットワーク局（代
替局）（ａ1局〜ａn局）のデータがＡＦリストとしてメモリ１９に記憶されるようになっており、所定時間毎に代替局の受信レベルが１局ずつ検査され、ＡＦリストが更新されるようになっている。
【００５８】
まず、Ａ局を受信中の時刻ｔ1（代替局の受信レベルを検査する前のタイミング）において、制御部６が補正音声データ（直前に受信した音声信号の近似値）を作成するように
補正音声作成手段４ｂを制御して、補正音声データの作成を行う。                    
【００５９】
補正音声データの作成開始後の時刻ｔ2において、制御部６がＡ局の受信音声の出力から補正音声データの出力に切り換えるように補正音声出力切換手段４ｃを制御して、補正
音声データの出力に切り換える。なお時刻ｔ1のタイミング、時刻ｔ1と時刻ｔ2との間隔は、補正音声データの作成に要する時間を考慮して決定される。したがって、補正音声作成手段４ｂの演算処理能力が高ければ、時刻ｔ1と時刻ｔ2とのタイミングを略同一時刻に設定することもできる。
【００６０】
補正音声データの出力後の時刻ｔ3（時刻ｔ2の直後が好ましい）において、制御部６は受信中のＡ局から代替局のａ1局を同調するようにＲＦチューナ部１１を制御して、代替局のａ1局との同調をとり、代替局のａ1局の受信レベルの検査を行う。
【００６１】
該検査を終えた時刻ｔ4において、制御部６は代替局のａ1局から元の受信局であるＡ局を同調するようにＲＦチューナ部１１を制御する。そして元の受信局のＡ局への同調完了後の時刻ｔ5（時刻ｔ4の直後が好ましい）において、補正音声データの出力からＡ局の受信音声の出力に切り換えるように補正音声データ切換手段１４ｃを制御して、Ａ局の受信音声の出力に切り換える。以下同様な制御タイミングで、所定時間毎に受信中のＡ局の代替局のａ2〜ａn局の受信レベルの検査が繰り返し行われるようになっている。
【００６２】
図３は、実施の形態（１）に係るＲＤＳ受信機１における制御部６の行う代替局検査処
理動作を示したフローチャートである。なお本処理動作は、ＲＤＳ放送の受信時において
所定時間毎に実行される。
【００６３】
まずステップＳ１では、補正音声データの作成タイミングか否かを判断し、補正音声デ
ータ作成のタイミングではないと判断すればステップＳ１に戻る一方、補正音声データ作
成タイミングであると判断すればステップＳ２に進む。
【００６４】
ステップＳ２では、補正音声データの作成制御、すなわち、補正音声作成手段４ｂにお
いて直前に受信した音声信号の近似値を演算処理により作成させる処理の制御を行い、そ
の後ステップＳ３に進む。ステップＳ３では、作成された補正音声データをデータ記憶部
４ｄに一時格納させる処理の制御を行い、その後ステップＳ４に進む。
【００６５】
ステップＳ４では、補正音声データの出力タイミングか否かを判断し、補正音声データ
の出力タイミングであると判断すればステップＳ５に進み、ステップＳ５では、補正音声
の出力切換制御、すなわち受信音声から補正音声に切り換えて出力するように補正音声出
力切換手段４ｃの切り換え制御を行い、受信音声の出力から補正音声の出力に切り換えて
、その後ステップＳ６に進む。
【００６６】
ステップＳ６では、代替局の検査処理、すなわち現在の受信局から代替局への同調をと
り、該代替局の受信レベルを検出して、ＡＦリストを更新する処理を行い、その後ステッ
プＳ７に進む。ステップＳ７では、代替局から元の受信局への同調制御を行い、その後ス
テップＳ８に進む。ステップＳ８では、受信音声の出力切換処理、すなわち補正音声から
受信音声に切り換えて出力するように補正音声出力切換手段４ｃを切り換え制御を行い、
補正音声の出力から元の受信局の受信音声の出力に切り換えて、その後ステップＳ１に戻
り、処理を繰り返す。
【００６７】
次に実施の形態（１）に係るＲＤＳ受信機１の行うネットワークフォロー機能について
説明する。図４は、実施の形態（１）に係るＲＤＳ受信機１の行うネットワークフォロー
動作を説明するためのタイミングチャートである。（ａ）は、ＲＦチューナ部１１での同
調タイミング、（ｂ）は、補正音声作成手段４ｂの動作タイミング、（ｃ）は、補正音声
出力切換手段４ｃの動作タイミング、（ｄ）は、出力音声の変化を示している。
【００６８】
なお、受信中の放送局（例えば、Ａ局）と同一番組を放送しているネットワーク局（代
替局）（ａ1局〜ａn局）のデータがＡＦリストとしてメモリ１９に記憶されるようになっている。
【００６９】
まず、Ａ局を受信中の時刻ｔ11において、受信中の放送局（Ａ局）の受信レベルが、閾
値より低下したことが検出されると、制御部６が補正音声データ（直前に受信した音声信
号の近似値）を作成するように補正音声作成手段４ｂを制御して、補正音声データの作成
を行う。
【００７０】
補正音声データの作成開始後の時刻ｔ12において、制御部６がＡ局の受信音声の出力か
ら補正音声データの出力に切り換えるように補正音声出力切換手段４ｃを制御して、補正
音声データの出力に切り換える。なお時刻ｔ11と時刻ｔ12との間隔は、補正音声データの作成に要する時間を考慮して決定される。したがって、補正音声作成手段４ｂの演算処理
能力が高ければ、時刻ｔ11と時刻ｔ12とのタイミングを略同一時刻に設定することもできる。
【００７１】
補正音声データの出力後の時刻ｔ13（時刻ｔ12の直後が好ましい）において、制御部６が受信中のＡ局からＡＦリストに基づいて受信レベルが閾値以上の代替局への同調をとる
ようにＲＦチューナ部１１を制御して、受信レベルが閾値以上の代替局を新たな受信局に
設定する処理を行う。新たな受信局（ａm局）の設定を終えた時刻ｔ14において、制御部６が補正音声データの出力から新たな受信局のａm局の受信音声の出力に切り換えるように補正音声切換手段４ｃを制御して、ａm局の受信音声の出力に切り換える。
【００７２】
図５は、実施の形態（１）に係るＲＤＳ受信機１における制御部６の行うネットワーク
フォロー処理動作を示したフローチャートである。なお本処理動作は、ＲＤＳ放送受信時
に受信中の放送波の受信レベル（電界強度）が閾値より低下した場合に実行される。
【００７３】
まずステップＳ１１では、受信中の放送波の受信レベルが閾値より低下したか否かを判
断し、受信レベルが閾値より低下していないと判断すればステップＳ１１に戻る一方、受
信レベルが閾値より低下したと判断すればステップＳ１２に進む。
【００７４】
ステップＳ１２では、補正音声データの作成制御、すなわち、補正音声作成手段４ｂに
おいて直前に受信された音声信号の近似値を演算処理により作成させる処理の制御を行い
、その後ステップＳ１３に進む。ステップＳ１３では、作成された補正音声データをデー
タ記憶部４ｄに一時格納させる処理の制御を行い、その後ステップＳ１４に進む。
【００７５】
ステップＳ１４では、補正音声の出力切換制御、すなわち受信音声から補正音声に切り
換えて出力するように補正音声出力切換手段４ｃの切り換え制御を行い、受信音声の出力
から補正音声の出力に切り換えて、その後ステップＳ１５に進む。
【００７６】
ステップＳ１５では、代替局への同調制御、すなわちＡＦリストに基づいて、現在の受
信局と同一番組を放送しているネットワーク局（代替局）への同調をとる制御を行い、そ
の後ステップＳ１６に進む。ステップＳ１６では、同調された放送波の受信レベルが閾値
以上であるか否かを判断し、受信レベルが閾値以上ではないと判断すればステップＳ１４
に戻り次の代替局への同調をとる一方、受信レベルが閾値以上であると判断すればステッ
プＳ１７に進む。ステップＳ１７では、該受信レベルが閾値以上の代替局を新たな受信局
に設定する処理を行い、その後ステップＳ１８に進む。
【００７７】
ステップＳ１８では、受信音声の出力切換制御、すなわち補正音声から受信音声に切り
換えて出力するように補正音声出力切換手段４ｃの切り換え制御を行い、補正音声データ
の出力から新たな受信局の受信音声の出力に切り換えて、その後処理を終了する。
【００７８】
なお上記ネットワークフォロー機能では、受信放送局と同一のネットワークを構成する
局（代替局）に自動的に切り換える場合ついて説明したが、別の実施の形態では、ＲＤＳ
受信機１を車両に搭載した場合に、車両がトンネルに入って受信レベルが急激に低下した
時に、トンネル内で受信可能な情報放送局に自動的に切り換える場合にも同様に補正音声
を出力させることもできる。
【００７９】
次に実施の形態（１）に係るＲＤＳ受信機１の行う自動プリセット局設定機能について
説明する。図６は、実施の形態（１）に係るＲＤＳ受信機１の行う自動プリセット局設定
動作を説明するためのタイミングチャートである。（ａ）は、ＲＦチューナ部１１での同
調タイミング、（ｂ）は、補正音声作成手段４ｂの動作タイミング、（ｃ）は、補正音声
出力切換手段４ｃの動作タイミング、（ｄ）は、出力音声の変化を示している。
【００８０】
まず、Ａ局を受信中の時刻ｔ21において、操作部２０における自動プリセット局設定操
作が検出されると、制御部６が補正音声データ（直前に受信した音声信号の近似値）を作
成するように補正音声作成手段４ｂを制御して、補正音声データの作成を行う。
【００８１】
補正音声データの作成開始後の時刻ｔ22において、制御部６がＡ局の受信音声の出力から補正音声データの出力に切り換えるように補正音声出力切換手段４ｃを制御して、補正
音声データの出力に切り換える。                                                  
【００８２】
補正音声データの出力後の時刻ｔ23において、制御部６が受信周波数（受信バンド）全
体を掃引する、すなわち受信バンドを一括サーチするようにＲＦチューナ部１１を制御し
て、受信可能な放送周波数の受信レベルを検出する処理を開始する。
【００８３】
受信レベルの良い順に周波数データをメモリ１９のプリセット局メモリ領域に格納する
処理が時刻ｔ24に完了すると、制御部６が元の受信局であるＡ局を同調するようにＲＦチ
ューナ部１１を制御する。
【００８４】
元の受信局のＡ局への同調完了後の時刻ｔ25において、制御部６が補正音声データの出力からＡ局の受信音声の出力に切り換えるように補正音声データ切換手段１４ｃを制御し
て、Ａ局の受信音声の出力に切り換える。
【００８５】
図７は、実施の形態（１）に係るＲＤＳ受信機１における制御部６の行う自動プリセッ
ト局設定処理動作を示したフローチャートである。なお本処理動作は、自動プリセット局
設定操作が検出された場合に実行される。
【００８６】
まず、ステップＳ２１では、自動プリセット局設定操作が検出されたか否かを判断し、
自動プリセット局設定操作が検出されていないと判断すれば終了する一方、自動プリセッ
ト局設定操作が検出されたと判断すればステップＳ２２に進む。
【００８７】
ステップＳ２２では、補正音声データの作成制御、すなわち、補正音声作成手段４ｂに
おいて直前に受信された音声信号の近似値を演算処理により作成させる処理の制御を行い
、ステップＳ２３に進む。ステップＳ２３では、作成された補正音声データをデータ記憶
部４ｄに一時格納させる処理の制御を行い、その後ステップＳ２４に進む。
【００８８】
ステップＳ２４では、補正音声の出力切換制御、すなわち受信音声から補正音声に切り
換えて出力するように補正音声出力切換手段４ｃの切り換え制御を行い、受信音声の出力
から補正音声の出力に切り換えて、その後ステップＳ２５に進む。
【００８９】
ステップＳ２５では、受信局の一括サーチ処理、すなわち受信周波数（受信バンド）全
体を掃引して、受信可能な放送周波数の受信レベルを検出する処理を行い、その後ステッ
プＳ２６に進む。ステップＳ２６では、プリセット局データの記憶処理、すなわち受信レ
ベルの良い順に周波数データをメモリ１９のプリセット局メモリ領域に格納する処理を行
い、その後ステップＳ２７に進む。
【００９０】
ステップＳ２７では、代替局から元の受信局への同調制御を行い、その後ステップＳ２
８に進む。ステップＳ２８では、受信音声の出力切換制御、すなわち補正音声から受信音
声に切り換えて出力するように補正音声出力切換手段４ｃの切り換え制御を行い、補正音
声データの出力から元の受信局の受信音声の出力に切り換えて、その後処理を終了する。
【００９１】
次に実施の形態（１）に係るＲＤＳ受信機１の行うプリセットｃｈ切換時の動作につい
て説明する。図８は、実施の形態（１）に係るＲＤＳ受信機１の行うプリセットｃｈ切換
動作を説明するためのタイミングチャートである。（ａ）は、ＲＦチューナ部１１での同
調タイミング、（ｂ）は、補正音声作成手段４ｂの動作タイミング、（ｃ）は、補正音声
出力切換手段４ｃの動作タイミング、（ｄ）は、出力音声の変化を示している。
【００９２】
まず、Ａ局を受信中の時刻ｔ31において、操作部２０のプリセットｃｈボタン操作が検
出されると、制御部６が補正音声データ（直前に受信した音声信号の近似値）を作成する
ように補正音声作成手段４ｂを制御して、補正音声データの作成を行う。
【００９３】
補正音声データの作成開始後の時刻ｔ32において、制御部６がＡ局の受信音声の出力から補正音声データの出力に切り換えるように補正音声出力切換手段４ｃを制御して、補正
音声データの出力に切り換える。なお時刻ｔ31と時刻ｔ32との間隔は、補正音声データの作成に要する時間を考慮して決定される。したがって、補正音声作成手段４ｂの演算処理
能力が高ければ、時刻ｔ31と時刻ｔ32とのタイミングを略同一時刻に設定することもできる。
【００９４】
補正音声データの出力後の時刻ｔ33（時刻ｔ32の直後）において、制御部６が、選択されたプリセットｃｈボタンに設定されている周波数（プリセット局）への同調をとるよう
にＲＦチューナ部１１を制御する。時刻ｔ34において、プリセット局への同調が完了すると、制御部６が補正音声データの出力からプリセット局の受信音声の出力に切り換えるよ
うに補正音声出力切換手段４ｃを制御して、プリセット局の受信音声の出力に切り換える
。
【００９５】
図９は、実施の形態（１）に係るＲＤＳ受信機１における制御部６の行うプリセットｃ
ｈ切換処理動作を示したフローチャートである。なお本処理動作は、プリセットｃｈボタ
ンの操作が検出された場合に実行される。
【００９６】
まず、ステップＳ３１では、プリセットｃｈボタンの操作が検出されたか否かを判断し
、プリセットｃｈボタンの操作が検出されていないと判断すれば終了する一方、プリセッ
トｃｈボタンの操作が検出されたと判断すればステップＳ３２に進む。
【００９７】
ステップＳ３２では、補正音声データの作成制御、すなわち、補正音声作成手段４ｂに
おいて直前に受信された音声信号の近似値を演算処理により作成させる処理の制御を行い
、ステップＳ３３に進む。ステップＳ３３では、作成された補正音声データをデータ記憶
部４ｄに一時格納させる処理の制御を行い、その後ステップＳ３４に進む。
【００９８】
ステップＳ３４では、補正音声の出力切換制御、すなわち受信音声から補正音声に切り
換えて出力するように補正音声出力切換手段４ｃの切り換え制御を行い、受信音声の出力
から補正音声の出力に切り換て、その後ステップＳ３５に進む。
【００９９】
ステップＳ３５では、選択されたプリセットｃｈボタンに登録された放送周波数（プリ
セット局）への同調制御を行い、その後ステップＳ３６に進む。ステップＳ３６では、受
信音声の出力切換制御、すなわち補正音声からプリセット局の受信音声に切り換えて出力
するように補正音声出力切換手段４ｃの切り換え制御を行い、補正音声データの出力から
プリセット局の受信音声の出力に切り換える処理を行い、その後処理を終了する。
【０１００】
上記実施の形態（１）に係るＲＤＳ受信機１によれば、ディジタル信号処理部４の演算
処理機能を用いて、補正音声作成手段４ｂと補正音声出力切換手段４ｃとの機能を実現す
ることができ、また、制御部６により、補正音声作成手段４ｂによる補正音声データの作
成、及び補正音声出力切換手段４ｃによる補正音声データの出力切換の制御が行われるの
で、必要なタイミングで受信音声に基づく補正音声データを作成し、作成された該補正音
声データを出力することが可能となる。したがって、従来、ミューティング処理が行われ
ていた間に補正音声データを出力することにより、音切れをなくすことができ、聴取者の
違和感を解消することができ、受信放送を一層快適に楽しむことができる。
【０１０１】
また、代替局検査機能による代替局の受信レベルの検査前に、補正音声データが作成さ
れるとともに、少なくとも代替局検査機能により代替局の受信レベルの検査が実行される
間、補正音声データが出力されるので、代替局検査機能により代替局の受信レベルの検出
が実行される間も補正音声データに基づく音声を出力することができ、従来のミューティ
ング処理により生じていた音切れを完全になくすことができ、代替局の受信レベルの検査
を聴取者に違和感を与えることなく常時実行することが可能となる。
【０１０２】
また、Ｓレベル検出部１５により受信放送波の受信レベルの低下が検出された場合に、
補正音声データが作成されるとともに、少なくとも受信局自動切換機能（ネットワークフ
ォロー機能）により受信レベルが良好な代替局の放送波の周波数への切換処理が実行され
る間、補正音声データが出力されるので、代替局の放送波の周波数への切換処理が実行さ
れる間も補正音声データに基づく音声を出力することができ、従来のミューティング処理
により生じていた音切れを完全になくすことができ、聴取者に気付かれることなく、代替
局の放送波の周波数への自動切換を実行することが可能となる。
【０１０３】
また、自動プリセット局設定機能による受信可能な放送波の受信レベルの検出前に、補
正音声データが作成されるとともに、少なくとも自動プリセット局設定機能による受信可
能な放送波の受信レベルの検出処理が実行される間、補正音声データが出力されるので、
受信可能な放送波の受信レベルの検出処理が実行される間も補正音声データに基づく音声
を出力することができ、プリセット局の自動設定時における音切れをなくすことができ、
聴取者に違和感を与えることなく、プリセット局の自動設定処理を実行することが可能と
なる。
【０１０４】
また、プリセットｃｈボタンの操作が検出された場合に、補正音声データが作成される
とともに、少なくともプリセットｃｈ選局機能により選択されたプリセット局の選局（同
調）が実行される間、補正音声データが出力されるので、選択されたプリセット局の選局
が実行される間も補正音声データに基づく音声を出力することができ、プリセットｃｈボ
タンの操作時に生じていた音切れ（ボツ音）をなくして、スムーズにプリセット局の受信
に移行することが可能となる。
【０１０５】
図１０は、実施の形態（２）に係る音響機器の要部を概略的に示したブロック図である
。但し、ここでは図１に示したＲＤＳ受信機１と同一機能を有する構成部品については、
同一符号を付して、その説明を省略する。
【０１０６】
音響機器１０は、ラジオ受信部１Ａ、信号再生部２２、モード切換部２３、ディジタル
信号処理部４Ａ、Ｄ／Ａ変換部５、制御部６Ａ、操作部２０、表示部２１を含んで構成さ
れている。
【０１０７】
ラジオ受信部１Ａは、図１に示したＲＦチューナ部１１、ＩＦ増幅・検波部１２、Ａ／
Ｄ変換部３の機能を含んで構成されており、ラジオ放送を受信することができるように構
成されている。
【０１０８】
信号再生部２２は、各種記録媒体（図示せず）に記憶された音楽データを再生すること
ができる装置であり、ＣＤデッキ、ＭＤデッキ、ＤＶＤデッキ、又は半導体メモリ読取装
置のいずれかを含んで構成されている。
【０１０９】
モード切換部２３は、制御部６Ａからのモード切換信号に基づいて、ラジオ受信部１Ａ
の出力又は信号再生部２２の出力を切り換えるものである。
【０１１０】
ディジタル信号処理部４Ａは、ラジオ受信部１Ａからの音声信号や信号再生部２２から
読み出された再生信号の音響特性等を調整するための種々の演算処理が実行される、いわ
ゆるＤＳＰ（Digital Signal Processor) から構成されており、音声取出手段４ａ、補正
音声作成手段４ｂ、補正音声出力切換手段４ｃ、データ記憶部４ｄを含んで構成されてい
る。
【０１１１】
制御部６Ａはマイクロコンピュータから構成されており、音響機器１０の各部の制御、
すなわち、ラジオ受信部１Ａの同調制御、信号再生部２２の再生制御、モード切換部２３
の切換制御、ディジタル信号処理部４Ａの各種信号処理の制御が行われるようになってい
る。また、制御部６Ａは、ラジオ受信部１Ａから信号再生部２２へのモード切換が検出さ
れた場合に、ラジオ受信音声に基づく補正音声データを作成するように補正音声作成手段
４ｂを制御するとともに、少なくとも信号再生部２２による信号の再生が開始されるまで
の間、補正音声データを出力するように補正音声出力切換手段４ｃを制御するように構成
されている。
【０１１２】
操作部２０は、ラジオ受信部１Ａと信号再生部２２との機能を切り換えるためのモード
切換ボタンや他の操作ボタン（いずれも図示せず）を含んで構成されている。
【０１１３】
図１１は、実施の形態（２）に係る音響機器１０の行うモード切換動作を説明するため
のタイミングチャートである。（ａ）は、ラジオ受信部１Ａでの同調タイミング、（ｂ）
は、信号再生部２２での起動・再生タイミング、（ｃ）は、補正音声作成手段４ｂの動作
タイミング、（ｄ）は、補正音声出力切換手段４ｃの動作タイミング、（ｅ）は、出力音
声の変化を示している。
【０１１４】
まず、ラジオ放送受信中の時刻ｔ41において、操作部２０のモード切換ボタンの操作が
検出されると、制御部６Ａが補正音声データ（直前に受信したラジオ音声信号の近似値）
を作成するように補正音声作成手段４ｂを制御して、補正音声データの作成を行うととも
に、信号再生部２２を起動させる制御を行う。
【０１１５】
補正音声データの作成開始後の時刻ｔ42において、制御部６Ａがラジオ受信音声の出力から補正音声データの出力に切り換えるように補正音声出力切換手段４ｃを制御して、補
正音声データの出力に切り換えるとともに、ラジオ受信部１Ａの受信を停止させる。なお
、時刻ｔ41と時刻ｔ42との間隔は、補正音声データの作成に要する時間を考慮して決定される。したがって、補正音声作成手段４ｂの演算処理能力が高ければ、時刻ｔ41と時刻ｔ42とのタイミングを略同一時刻に設定することもでき、また信号再生部２２の起動とラジオ受信部１Ａの受信停止も略同一のタイミングで行うことも可能である。              
【０１１６】
信号再生部２２での再生準備が整った時刻ｔ43において、制御部６Ａが補正音声データの出力から信号再生部２２の再生信号の出力に切り換えるように補正音声出力切換手段４
ｃを制御して、信号再生部２２からの再生音声の出力に切り換える。
【０１１７】
図１２は、実施の形態（２）に係る音響機器１０における制御部６Ａの行うモード切換
処理動作を示したフローチャートである。なお本処理動作は、ラジオ放送受信時にモード
切換ボタンの操作が検出された場合に実行される。
【０１１８】
まず、ステップＳ４１では、ラジオ放送受信時にモード切換ボタンの操作が検出された
か、すなわち、ラジオ受信部１Ａから信号再生部２２へのモード切換操作が検出されたか
否かを判断し、モード切換操作が検出されていないと判断すれば終了する一方、モード切
換操作が検出されたと判断すればステップＳ４２に進む。
【０１１９】
ステップＳ４２では、補正音声データの作成制御、すなわち、補正音声作成手段４ｂに
おいて直前に受信されたラジオ音声信号の近似値を演算処理にて作成させる処理を制御す
るとともに、信号再生部２２を起動させる処理を行い、その後ステップＳ４３に進む。ス
テップＳ４３では、作成された補正音声データをデータ記憶部１４ｄに一時格納させる処
理を制御して、その後ステップＳ４４に進む。
【０１２０】
ステップＳ４４では、補正音声の出力切換制御、すなわちラジオ受信音声から補正音声
に切り換えて出力するように補正音声出力切換手段４ｃの切り換え制御を行い、ラジオ受
信音声の出力から補正音声の出力に切り換えて、その後ステップＳ４５に進む。
【０１２１】
ステップＳ４５では、ラジオ受信部１Ａの受信を停止させる処理を行い、その後ステッ
プＳ４６に進む。ステップＳ４６では、信号再生部２２での再生準備が整ったか否かを判
断し、信号再生部２２での再生準備が整っていないと判断すればステップＳ４６に戻る一
方、信号再生部２２での再生準備が整ったと判断すればステップＳ４７に進む。
【０１２２】
ステップＳ４７では、再生音声の出力切換制御、すなわち補正音声から信号再生部２２
の再生音声に切り換えて出力するように補正音声出力切換手段４ｃの切り換え制御を行い
、補正音声の出力から信号再生部２２の再生音声の出力に切り換えるとともに、信号再生
部２２での信号再生処理を開始して、その後処理を終了する。
【０１２３】
上記実施の形態（２）に係る音響機器１０によれば、モード切換操作によりラジオ受信
部１Ａから信号再生部２２への機能切換が行われた場合に、ラジオ受信音声に基づく補正
音声データが作成されるとともに、少なくともモード切換操作により切り換えられた信号
再生部２２での信号再生が開始されるまでの間、前記補正音声データが出力されるので、
ラジオ受信部１Ａから信号再生部２２に切り換えて信号再生部２２による信号再生が開始
されるまでの間も補正音声データに基づく音声を出力することができ、ラジオ受信部１Ａ
から信号再生部２２への切換時に生じていた音切れをなくして、スムーズに信号再生部２
２による記録媒体の再生処理に移行することが可能となる。
【０１２４】
なお、上記ラジオ受信部１ＡをＲＤＳ放送を受信できる受信機とすることにより、音響
機器１０に上記実施の形態（１）に係るＲＤＳ受信機１と略同様な機能を持たせることも
できる。
【０１２５】
次に実施の形態（３）に係る受信機ついて説明する。上記実施の形態（１）では、ＲＤ
Ｓ受信機に適用した場合について説明したが、実施の形態（３）では、ディジタルテレビ
放送波を受信可能なディジタル放送受信機に適用した場合について説明する。
【０１２６】
図１３は、実施の形態（３）に係るディジタル放送受信機の要部を概略的に示したブロ
ック図である。ディジタル放送受信機１Ｂは、チューナ部３１、復調部３２、ＴＳ（Tran
sport Stream) デコ−ド部３３、音声デコ−ド部３４、映像デコ−ド部３５、提示処理部
３６、制御部３７、メモリ３８、操作部３９を含んで構成されており、地上波ディジタル
放送を受信することができるようになっている。
【０１２７】
チュ−ナ部３１はアンテナ３１ａで受信した受信電波からユ−ザの希望する放送波をチ
ュ−ニングして増幅するもので、高周波増幅回路、同調回路、受信レベル検出回路等を含
んで構成されている。復調部３２は、チュ−ナ部３１によりチュ−ニングされた受信波を
復調してディジタル信号を出力するもので、例えば、地上波ディジタルテレビ放送ではＯ
ＦＤＭ（Orthogonal Frequency Division Multiplexing）変調された放送波をＯＦＤＭ復
調するＯＦＤＭ復調回路等を含んで構成されている。
【０１２８】
ＴＳ（Transport Stream) デコ−ド部３３は、ＯＦＤＭ復調されたディジタル信号をデ
コ−ド（解読）するもの、つまり、放送局での変調前に伝送エラ−防止処理、圧縮処理、
結合処理等が施されたディジタル信号を元のディジタル信号に戻すものであり、論理回路
、ＤＳＰ等により構成されている。そして、ＴＳデコ−ド部３３によりデコ−ドされたデ
ィジタル信号は、音声デ−タ、映像デ−タ、デ−タ放送などのデ−タとして各々音声デコ
−ド部３４、映像デコ−ド部３５、制御部３７に出力される。
【０１２９】
音声デコ−ド部３４はＴＳデコ−ド部３３からの音声デ−タのデコ−ドを行うもの、つ
まり音声デ−タに施された伝送エラ−防止処理、圧縮処理等に対応したデ−タエラ−の復
元処理、伸張処理等のディジタル演算処理を行い、本来の音声デ−タに復元するものであ
り、ＤＳＰ等により構成されており、音声取出手段３４ａ、補正音声作成手段３４ｂ、補
正音声出力切換手段３４ｃ、データ記憶部３４ｄを含んで構成されている。
【０１３０】
音声取出手段３４ａ、補正音声作成手段３４ｂ、補正音声出力切換手段３４ｃ、データ
記憶部３４ｄは、実施の形態（１）に係るＲＤＳ受信機１のディジタル信号処理部４を構
成する音声取出手段４ａ、補正音声作成手段４ｂ、補正音声出力切換手段４ｃ、データ記
憶部４ｄと略同様な機能を有しているのでここではその説明を省略する。音声デコ−ド部
３４から出力された音声信号は、ディジタル／アナログ変換、電力増幅が行なわれ、スピ
−カ（図示せず）から音声として出力されるようになっている。
【０１３１】
映像デコ−ド部３５はＴＳデコ−ド部３３からの映像デ−タのデコ−ドを行うもの、つ
まり映像デ−タに施された伝送エラ−防止処理、圧縮処理等に対応したデ−タエラ−の復
元処理、伸張処理等のディジタル演算処理を行い、本来の映像デ−タに復元するものであ
り、ＤＳＰ等により構成されている。                                              
【０１３２】
提示処理部３６は、映像デコ−ド部３５から出力された映像信号から画像データを生成
したり、制御部３７から出力されたデ−タ放送のデ−タ信号、及び制御部３７から供給さ
れる描画処理命令などに基づいて、画像データを生成し液晶ディスプレイ（図示せず）等
に出力するもので、描画プロセッサ等により構成されている。
【０１３３】
制御部３７は、マイクロコンピュータから構成されており、ディジタル放送受信機１Ｂ
の各部の動作を制御するものであり、また、ＴＳデコ−ド部３３からのデ−タ放送用など
のデ−タのデコ−ドも行う、つまりデ−タに施された伝送エラ−防止処理、圧縮処理等に
対応したデ−タエラ−の復元処理、伸張処理等のディジタル演算処理を行い、本来のデ−
タ放送用などのデ−タが復元されるようになっている。復元されたデ−タ放送用デ−タは
、提示処理部３６で処理されディスプレイに表示させることができるようになっている。
【０１３４】
また制御部３７でデコードされるデータの中には番組特定情報が含まれており、該番組
特定情報には、ネットワーク情報テーブルが含まれている。該ネットワーク情報テーブル
には、ネットワーク（地上波ディジタル放送）内の全編成チャンネルの情報や代替局の周
波数の情報などが含まれており、制御部３７では、これらの情報に基づいて、受信中の放
送局の受信レベル（電界強度）が低下した場合に、同一番組を放送しているネットワーク
局（代替局）の周波数に自動的に切り換える、すなわち受信局自動切換制御（ネットワー
クフォロー機能）を行うことができるようになっている。
【０１３５】
図１４は、実施の形態（３）に係るディジタル放送受信機１Ｂの行うネットワークフォ
ロー動作を説明するためのタイミングチャートである。（ａ）は、チューナ部３１での同
調タイミング、（ｂ）は、補正音声作成手段３４ｂの動作タイミング、（ｃ）は、補正音
声出力切換手段３４ｃの動作タイミング、（ｄ）は、出力音声の変化を示している。
【０１３６】
なお、受信中のテレビ放送局（例えば、Ｂ局）と同一番組を放送しているネットワーク
局（代替局）（ｂ1局〜ｂn局）の周波数データを含むネットワーク情報テーブルがメモリ３８に記憶されるようになっている。
【０１３７】
まず、Ｂ局を受信中の時刻ｔ51において、受信中のテレビ放送局（Ｂ局）の受信レベル
が閾値より低下したことが検出されると、制御部３７が補正音声データ（直前に受信した
テレビ音声信号の近似値）を作成するように補正音声作成手段３４ｂを制御して、補正音
声データの作成を行う。
【０１３８】
補正音声データの作成開始後の時刻ｔ52において、制御部３７がＢ局のテレビ受信音声
の出力から補正音声データの出力に切り換えるように補正音声出力切換手段３４ｃの切り
換え制御を行い、補正音声データの出力に切り換える。なお時刻ｔ51と時刻ｔ52との間隔は、補正音声データの作成に要する時間を考慮して決定される。したがって、補正音声作
成手段３４ｂの演算処理能力が高ければ、時刻ｔ51と時刻ｔ52とのタイミングを略同一時
刻に設定することもできる。
【０１３９】
補正音声データの出力後の時刻ｔ53（時刻ｔ52の直後）において、制御部３７が受信中のＢ局からネットワーク情報テーブルの情報に基づいて受信レベルが閾値以上の代替局への同調をとるようにチューナ部３１を制御して、受信レベルが閾値以上の代替局を新たな受信局に設定する処理を行う。
【０１４０】
新たな受信局（ｂm局）の設定を終えた時刻ｔ54において、制御部３７が補正音声データの出力から新たな受信局のｂm局のテレビ受信音声の出力に切り換えるように補正音声切換手段３４ｃの切り換え制御を行い、ｂm局の受信音声の出力に切り換える。
【０１４１】
図１５は、実施の形態（３）に係るディジタル放送受信機１Ｂにおける制御部３７の行
うネットワークフォロー処理動作を示したフローチャートである。なお本処理動作は、受
信中のディジタル放送波の受信レベルが低下した場合に実行される。  
【０１４２】
まずステップＳ５１では、受信中のディジタル放送波の受信レベル（電界強度）が閾値
より低下したか否かを判断し、受信レベルが閾値より低下していないと判断すればステッ
プＳ５１に戻る一方、受信レベルが閾値より低下したと判断すればステップＳ５２に進む
。
【０１４３】
ステップＳ５２では、補正音声データの作成制御、すなわち、補正音声作成手段３４ｂ
において直前に受信されたテレビ音声信号の近似値を演算処理にて作成させる処理の制御
を行い、その後ステップＳ５３に進む。ステップＳ５３では、作成された補正音声データ
をデータ記憶部３４ｄに一時格納させる処理の制御を行い、その後ステップＳ５４に進む
。
【０１４４】
ステップＳ５４では、テレビ補正音声の出力切換制御、すなわちテレビ受信音声からテ
レビ補正音声に切り換えて出力するように補正音声出力切換手段３４ｃの切り換え制御を
行い、テレビ受信音声の出力からテレビ補正音声の出力に切り換える処理を行い、その後
ステップＳ５５に進む。
【０１４５】
ステップＳ５５では、代替局への同調制御、すなわちネットワーク情報テーブルに基づ
いて、現在のテレビ受信局と同一番組を放送しているネットワーク局への同調をとり、そ
の後ステップＳ５６に進む。ステップＳ５６では、選局された放送波の受信レベルが閾値
以上であるか否かを判断し、受信レベルが閾値以上ではないと判断すればステップＳ５５
に戻り次の代替局への同調をとる一方、受信レベルが閾値以上であると判断すればステッ
プＳ５７に進む。
【０１４６】
ステップＳ５７では、選局された放送波を新たな受信局に設定して、ステップＳ５８に
進む。ステップＳ５８では、テレビ受信音声の出力切換制御、すなわちテレビ補正音声か
らテレビ受信音声に切り換えて出力するように補正音声出力切換手段３４ｃの切り換え制
御を行い、テレビ補正音声の出力から新たな受信局のテレビ受信音声の出力に切り換えて
、その後処理を終了する。
【０１４７】
上記実施の形態（３）に係るディジタル放送受信機１Ｂによれば、テレビ受信放送波の
受信レベルの低下が検出された場合に、テレビ受信音声に基づいて補正音声データが作成
されるとともに、少なくともネットワークフォロー機能により受信レベルが良好な代替局
のテレビ放送波の周波数への切換処理が実行される間、前記補正音声データが出力される
ので、代替局のテレビ放送波の周波数への切換処理が実行される間も補正音声データに基
づく補正音声を出力することができ、ネットワークフォロー時における音切れをなくすこ
とができ、聴取者に気付かれることなく、代替局のテレビ放送波の周波数への自動切換を
実行することが可能となる。
【０１４８】
なお、上記実施の形態（３）に係るディジタル放送受信機１Ｂでは、ネットワークフォ
ロー機能が装備されている場合について説明したが、上記実施の形態（１）に係るＲＤＳ
受信機１と略同様な機能、すなわち、代替局の検査処理時、テレビチャンネルの自動プリ
セット処理時、又はチャンネル選択ボタンの操作時に補正音声を出力させる機能をさらに
装備させることもできる。また、ＲＤＳ受信機１の他にディジタルラジオ放送受信機にも
同様に適用することができる。
【図面の簡単な説明】
【０１４９】
【図１】本発明の実施の形態（１）に係るＲＤＳ受信機の要部を概略的に示したブロック図である。
【図２】実施の形態（１）に係るＲＤＳ受信機の行う代替局検査動作を説明するためのタイミングチャートである。
【図３】実施の形態（１）に係るＲＤＳ受信機における制御部の行う代替局検査処理動作を示したフローチャートである。
【図４】実施の形態（１）に係るＲＤＳ受信機の行うネットワークフォロー動作を説明するためのタイミングチャートである。
【図５】実施の形態（１）に係るＲＤＳ受信機における制御部の行うネットワークフォロー処理動作を示したフローチャートである。
【図６】実施の形態（１）に係るＲＤＳ受信機の行う自動プリセット局設定動作を説明するためのタイミングチャートである。
【図７】実施の形態（１）に係るＲＤＳ受信機における制御部の行う自動プリセット局設定処理動作を示したフローチャートである。
【図８】実施の形態（１）に係るＲＤＳ受信機の行うプリセットｃｈ切換動作を説明するためのタイミングチャートである。
【図９】実施の形態（１）に係るＲＤＳ受信機における制御部の行うプリセットｃｈ切換処理動作を示したフローチャートである。
【図１０】実施の形態（２）に係る音響機器の要部を概略的に示したブロック図である。
【図１１】実施の形態（２）に係る音響機器の行うモード切換動作を説明するためのタイミングチャートである。
【図１２】実施の形態（２）に係る音響機器における制御部の行うモード切換処理動作を示したフローチャートである。
【図１３】実施の形態（３）に係るディジタルテレビ受信機の要部を概略的に示したブロック図である。
【図１４】実施の形態（３）に係るディジタルテレビ受信機の行うネットワークフォロー動作を説明するためのタイミングチャートである。
【図１５】実施の形態（３）に係るディジタルテレビ受信機における制御部の行うネットワークフォロー処理動作を示したフローチャートである。
【図１６】従来のＲＤＳ受信機の要部を概略的に示したブロック図である。
【図１７】従来のＲＤＳ受信機における制御部の行う代替局検査処理動作を示したフローチャートである。
【図１８】従来のＲＤＳ受信機における制御部の行うネットワークフォロー処理動作を示したフローチャートである。
【符号の説明】
【０１５０】
１  ＲＤＳ受信機
４、４Ａ  ディジタル信号処理部
４ｂ  補正音声作成手段
４ｃ  補正音声出力切換手段
６、６Ａ、３７  制御部
【図１】
2005269547.tif 000003
【図２】
2005269547.tif 000004
【図３】
2005269547.tif 000005
【図４】
2005269547.tif 000006
【図５】
2005269547.tif 000007
【図６】
2005269547.tif 000008
【図７】
2005269547.tif 000009
【図８】
2005269547.tif 000010
【図９】
2005269547.tif 000011
【図１０】
2005269547.tif 000012
【図１１】
2005269547.tif 000013
【図１２】
2005269547.tif 000014
【図１３】
2005269547.tif 000015
【図１４】
2005269547.tif 000016
【図１５】
2005269547.tif 000017
【図１６】
2005269547.tif 000018
【図１７】
2005269547.tif 000019
【図１８】
2005269547.tif 000020